(57)【要約】【課題】ＵＳＢコネクタを備える電子機器において、ＵＳＢ機器の接続を検出するためのシステムを稼動させること無く、電源オフ時にＵＳＢコネクタに接続されたＵＳＢ機器に対してＵＳＢ充電できるようにする。【解決手段】ＵＳＢ（Universal Serial Bus）コネクタ６０を備え、外部電源を接続しつつユーザーの起動指示を監視するサブＣＰＵ５０にのみ給電するオフ状態と、外部電源を接続しつつサブＣＰＵ５０以外にも給電するオン状態と、を切換え可能な電子機器１００において、サブＣＰＵ５０は、オフ状態において外部電源に基づいて生成される駆動電圧を供給され、ＵＳＢコネクタ６０の電源端子に給電するＤＣ／ＤＣコンバーター３０の電源入力端子３１は、サブＣＰＵ５０に対する駆動電圧の供給ラインＬＢに直接に接続される。【選択図】図１
2012243238.tif 000002
【特許請求の範囲】
【請求項１】
ＵＳＢコネクタ（Universal Serial Busコネクタ）を備え、当該電子機器に外部電源を接続しつつユーザーの起動指示を監視する監視部にのみ給電するオフ状態と、当該電子機器に外部電源を接続しつつ前記監視部以外にも給電するオン状態と、を切り換え可能な電子機器において、
前記監視部は、前記オフ状態において前記外部電源に基づいて生成される駆動電圧を供給され、
前記ＵＳＢコネクタの電源端子に給電するＤＣ／ＤＣコンバーターの電源入力端子は、前記監視部に対する前記駆動電圧の供給ラインに直接に接続されることを特徴とする電子機器。
【請求項２】
前記オフ状態におけるＵＳＢ充電の要否の設定値を記憶し、前記オフ状態においても当該記憶を維持する記憶部と、
前記記憶部の記憶に基づいて前記ＤＣ／ＤＣコンバーターを制御し、前記ＵＳＢ充電が必要なときは前記ＵＳＢコネクタの電源端子に対する給電を行わせ、前記ＵＳＢ充電が不要なときは前記ＵＳＢコネクタの電源端子に対する給電を行わせない給電制御部と、
を備えることを特徴とするする請求項１に記載の電子機器。
【請求項３】
前記オン状態において、前記外部電源に基づいて生成される駆動電圧を供給され、前記ＵＳＢコネクタに対するＵＳＢ機器の接続を検出する検出部と、
前記ＤＣ／ＤＣコンバーターの出力制御端子に出力端子を接続された論理和回路と、
を更に備え、
前記ＤＣ／ＤＣコンバーターは、出力制御端子に正論理を入力されている間は前記電源端子に給電し、出力制御端子に負論理を入力されている間は前記電源端子に給電せず、
前記給電制御部は、前記ＵＳＢ充電が必要なときは前記論理和回路の第１入力端子に正論理を入力し、前記ＵＳＢ充電が不要なときは前記第１入力端子に負論理を入力し、
前記オン状態において前記検出部は、前記ＵＳＢコネクタにＵＳＢ機器が接続されているときは前記論理和回路の第２入力端子に正論理を入力し、前記ＵＳＢコネクタにＵＳＢ機器が接続されていないときは前記第２入力端子に負論理を入力することを特徴とする請求項１または請求項２に記載の電子機器。
【発明の詳細な説明】
【技術分野】
【０００１】
本発明は電子機器に関し、特に、ＵＳＢ（Universal Serial Bus）コネクタを備え、当該電子機器に外部電源を接続しつつユーザーの起動指示を監視する監視部にのみ給電するオフ状態と、当該電子機器に外部電源を接続しつつ前記監視部以外にも給電するオン状態と、を切り換え可能な電子機器に関する。
【背景技術】
【０００２】
従来、パソコンやテレビ等の電子機器にはＵＳＢコネクタを備えるものがあり、当該ＵＳＢコネクタに接続されたＵＳＢ機器に対し、当該ＵＳＢコネクタを介してバスパワーにより充電する機能（以下、このような充電をＵＳＢ充電と記載する。）を備えるものも多い（特許文献１〜５参照）。
【先行技術文献】
【特許文献】
【０００３】
【特許文献１】特開２０１０−１０８４２３号公報
【特許文献２】実用新案登録第３１２７７０５号公報
【特許文献３】特開２００６−５３７４８号公報
【特許文献４】特開２００９−１５１４８８号公報
【特許文献５】特表２００５−５０９３９１号公報
【発明の概要】
【発明が解決しようとする課題】
【０００４】
ところで、一般的な電子機器においては、外部電源（商用の交流電源、バッテリーパック等）に機器を接続した電源接続状態と外部電源に機器を接続しない電源未接続状態とがあり、更に、電源接続状態にはオフ状態とオン状態とがある。オン状態は、電子機器のほぼ全ての構成に通電され、当該電子機器としての機能を発揮している状態であり、オフ状態は、一部の構成（例えばサブマイコン）にのみ通電しつつユーザーの所定の操作（例えば、電源オンを示す操作）を待機する状態である。このようなオフ状態は、スタンバイ状態や省電力状態等を含む概念である。
ここで、電子機器がＵＳＢコネクタを備える場合、オン状態でＵＳＢ充電できる機器は多いが、オフ状態ではＵＳＢ充電できないものが多い。また、仮にオフ状態でＵＳＢ充電できる機器であっても、ＵＳＢコネクタにＵＳＢ機器が接続されたことを検出するシステムが稼動している必要があった（特許文献１〜４参照）。
【０００５】
本発明は前記課題に鑑みてなされたものであり、ＵＳＢコネクタを備える電子機器であって、オフ状態においてＵＳＢ機器の接続を検出するためのシステムを稼動させずにＵＳＢコネクタに接続されたＵＳＢ機器に対してＵＳＢ充電することが可能な電子機器を提供することを目的とする。
【課題を解決するための手段】
【０００６】
本発明の態様の１つは、ＵＳＢ（Universal Serial Bus）コネクタを備え、当該電子機器に外部電源を接続しつつユーザーの起動指示を監視する監視部にのみ給電するオフ状態と、当該電子機器に外部電源を接続しつつ前記監視部以外にも給電するオン状態と、を切換え可能な電子機器において、前記監視部は、前記オフ状態において前記外部電源に基づいて生成される駆動電圧を供給され、前記ＵＳＢコネクタの電源端子に給電するＤＣ／ＤＣコンバーターの電源入力端子は、前記監視部に対する前記駆動電圧の供給ラインに直接に接続される構成とされる。
【０００７】
上述した電子機器は、他の機器に組み込まれた状態で実施されたり他の方法とともに実施されたりする等の各種の態様を含む。また、本発明は前記電子機器を備えるシステム、上述した電子機器の製造方法、等としても実現可能である。
【発明の効果】
【０００８】
本発明によれば、オフ状態の電子機器にＵＳＢ接続されたＵＳＢ機器に対し、当該電子機器を起動したり、当該電子機器においてＵＳＢ機器の接続を検出するためのシステムを稼動させたりすることなく、充電することができる電子機器を提供することができる。
請求項２にかかる発明によれば、オフ状態でのＵＳＢ充電のオンオフをユーザー設定に応じて自動的に切り換えることが可能となる。
請求項３にかかる発明によれば、オフ状態でのＵＳＢ充電のオンオフをユーザー設定に応じて自動的に切換りえつつ、オン状態では、ＵＳＢ機器の接続状況に応じてＵＳＢ充電のオンオフを自動的に切り換えることが可能となる。
【図面の簡単な説明】
【０００９】
【図１】電子機器１００のブロック図である。
【図２】変形例１にかかる電子機器２００のブロック図である。
【図３】変形例２にかかる電子機器３００のブロック図である。
【図４】変形例３にかかる電子機器４００のブロック図である。
【図５】変形例４にかかる電子機器５００のブロック図である。
【発明を実施するための形態】
【００１０】
以下、下記の順序に従って本発明の実施形態を説明する。
（１）本実施形態の構成：
（２）各種変形例：
【００１１】
（１）本実施形態の構成： 
図１は、本実施形態にかかる電子機器１００のブロック図である。なお、同図ではＵＳＢ充電に関係しない構成や電源回路の詳細な構成については、図示を省略してある。同図において、電子機器１００は、電源回路１０、ＤＣ／ＤＣコンバーター２０、ＤＣ／ＤＣコンバーター３０、オン状態において電子機器１００の全体を制御するメインＣＰＵ４０、オフ状態においてユーザーの操作入力を監視するサブＣＰＵ５０、ＵＳＢコネクタ６０（Universal Serial Busコネクタ６０）、を備えている。なお、本実施形態においては、サブＣＰＵ５０が監視部を構成する。
【００１２】
電源回路１０はスイッチング電源回路の構成とされ、商用の交流電源等の外部電源に接続するＡＣプラグ１１を備えており、ＡＣプラグ１１を介して入力される交流を整流回路１２やスイッチングトランス１３を用いて所望の直流に変換して出力する。同図に示すように、電源回路１０は、スイッチングトランス１３の出力に基づいて２４Ｖの直流と４．３Ｖの直流を生成しており、伝送ラインＬＡは２４Ｖの直流を伝送し、伝送ラインをＬＢは４．３Ｖの直流を伝送している。伝送ラインＬＡを介して伝送される２４ＶはＤＣ／ＤＣコンバーター２０の入力端子２１に入力され、伝送ラインＬＢを介して伝送される４．３ＶはサブＣＰＵ５０の電源端子５１に入力されている。
【００１３】
ＤＣ／ＤＣコンバーター２０は、上述した入力端子２１に加えて出力制御端子２２と出力端子２３ａ，２３ｂ，・・・を備えている。出力制御端子２２はサブＣＰＵ５０の端子５２に接続されている。ＤＣ／ＤＣコンバーター２０は、出力制御端子２２に所定の制御信号が入力されると、伝送ラインＬＡから入力された２４Ｖに基づいて生成した直流をそれぞれ出力端子２３ａ，２３ｂ，・・・から出力し、出力制御端子２２に対する所定の制御信号の入力が停止すると、出力端子２３ａ，２３ｂ，・・・からの直流出力を停止する。各出力端子２３ａ，２３ｂ，・・・から出力する直流は電子機器１００の各部の駆動電源とされ、同図では、出力端子２３ａから出力される３．３ＶがメインＣＰＵ４０の駆動電源として電源端子４１に入力されている。従って、メインＣＰＵ４０は、ＤＣ／ＤＣコンバーター２０が直流の出力を開始すると起動し、ＤＣ／ＤＣコンバーター２０が直流の出力を停止すると停止する。
【００１４】
サブＣＰＵ５０は、上述した電源端子５１や端子５２に加えて端子５３を備えており、端子５３はユーザーの操作にかかる操作信号が入力される。サブＣＰＵ５０は、端子５３に電源オンを示す操作信号を入力されると、ＤＣ／ＤＣコンバーター２０の出力制御端子２２に所定の制御信号を入力し、端子５３に電源オフを示す操作信号を入力されると、ＤＣ／ＤＣコンバーター２０の出力制御端子２２に対する所定の制御信号の入力を停止する。なお、ユーザーの操作にかかる操作信号は、例えば、不図示のリモコンから不図示のリモコン受信回路が受信したリモコン信号等とされる。このようにして、ユーザーは電子機器１００に対する操作により、サブＣＰＵ５０にのみ給電するオフ状態と、サブＣＰＵ５０以外にも給電するオン状態と、を切り換え可能となっている。
【００１５】
ここで、ユーザーが電源オンを示す操作を行うとＤＣ／ＤＣコンバーター２０が負荷に対する電源供給を開始することにより電源回路１０に接続される負荷の量が増加し、ユーザーが電源オフを示す操作を行うとＤＣ／ＤＣコンバーター２０が負荷に対する電源供給を停止することにより電源回路１０に接続される負荷の量が減少する。
【００１６】
電源回路１０は、いわゆるオートスタンバイ機能を有している。すなわち、ＤＣ／ＤＣコンバーター２０から出力が行われていて電源回路１０に接続されている負荷がある閾値よりも重い場合は連続発振を行い、ＤＣ／ＤＣコンバーター２０の出力が停止されて電源回路１０に接続されている負荷がある閾値よりも軽くなると間欠発振を行う。すなわち、ユーザーが電源オンを示す操作を行うと電源回路１０は連続発振を行い、ユーザーが電源オフを示す操作を行うと電源回路１０は間欠発振を行う。なお、電源回路１０に接続されている負荷の大小は、例えば、センス抵抗を用いてスイッチングトランス１３の１次巻線に流れる電流を監視することにより検出することができる。
【００１７】
メインＣＰＵ４０は、上述した電源端子４１に加えて端子４３，４４を備え、端子４３はＵＳＢコネクタ６０のＤ＋端子に接続され、端子４４はＵＳＢコネクタのＤ−端子に接続されている。メインＣＰＵ４０は、端子４３，４４を監視することにより、ＵＳＢコネクタ６０に対するＵＳＢ機器の接続状況を検知することができる。なお、本実施形態において、ＵＳＢコネクタ６０に対するＵＳＢ機器の接続状況を検出するメインＣＰＵ４０は、検出部を構成する。
【００１８】
ＤＣ／ＤＣコンバーター３０は、電源入力端子３１と出力端子３３とを備えている。電源入力端子３１はサブＣＰＵ５０に電源を供給する伝送ラインＬＢと直接に接続され、出力端子３３はＵＳＢコネクタ６０の電源端子に接続されている。すなわち、ＵＳＢコネクタ６０の電源端子には、伝送ラインＬＢを介してサブＣＰＵ５０に供給される駆動電圧をＤＣ／ＤＣ変換して生成した電圧が、オフ状態とオン状態の双方で供給される。従って、電子機器１００をオフ状態からオン状態に移行（起動）させたり、オフ状態の電子機器１００においてＵＳＢ機器の接続を検出するためのシステムを稼動させたりすることなく、オフ状態の電子機器１００にＵＳＢ接続されたＵＳＢ機器に対しＵＳＢ充電を行うことができる。なお、本実施形態では、ＵＳＢコネクタ６０の電源端子に供給すべき電圧（５Ｖ）よりも伝送ラインＬＢの電圧（４．３Ｖ）が低いため、ＤＣ／ＤＣコンバーター３０は昇圧型とされる。
【００１９】
（２）各種変形例： 
（２−１）変形例１： 
図２は、変形例１にかかる電子機器２００のブロック図である。なお、同図においてもＵＳＢ充電に関係しない構成や電源回路の詳細な構成については、図示を省略してある。同図において、電子機器２００は、電源回路２１０、ＤＣ／ＤＣコンバーター２２０、ＤＣ／ＤＣコンバーター２３０、メインＣＰＵ２４０、サブＣＰＵ２５０、ＵＳＢコネクタ２６０、メモリー２７０、を備えている。なお、電源回路２１０、ＤＣ／ＤＣコンバーター２２０、ＤＣ／ＤＣコンバーター２３０、メインＣＰＵ２４０、サブＣＰＵ２５０、ＵＳＢコネクタ２６０は、上述した実施形態にかかる１０〜６０とほぼ同様であり、以下では相違点のみを説明する。なお、本変形例１においてメモリー２７０は記憶部を構成する。
【００２０】
メモリー２７０は、オフ状態においても記憶されている情報を維持する記憶媒体である。メモリー２７０には、オフ状態におけるＵＳＢ充電の要否にかかる設定値が記憶される。この設定値は、ユーザーが電子機器２００に対して所定の操作を行うことにより設定される。一例を挙げると、例えば電子機器２００がテレビジョンであれば、テレビジョンがオン状態のときにユーザーがリモコンを操作して画面に設定メニューのＯＳＤ（オンスクリーンディスプレイ）を表示させ、オフ状態におけるＵＳＢ充電の要否にかかる設定メニュー項目に対して所定の操作を行って設定を保存することにより、設定することができる。
【００２１】
ＤＣ／ＤＣコンバーター２３０は出力制御端子２３２を備えており、メモリー２７０は出力制御端子２３２に接続されている。メモリー２７０は、オフ状態におけるＵＳＢ充電が必要との設定値が記憶されている場合は、出力制御端子２３２に所定の制御信号を入力し、オフ状態におけるＵＳＢ充電が不要との設定値が記憶されている場合は、出力制御端子２３２に所定の制御信号を入力しない。このように、オフ状態におけるＵＳＢ充電の要否にかかる設定値に基づいてＤＣ／ＤＣコンバーター２３０を制御するメモリー２７０は、本変形例１において給電制御部を構成する。
【００２２】
ＤＣ／ＤＣコンバーター２３０は、出力制御端子２３２に所定の制御信号を入力されている間は出力端子２３３から出力し、出力制御端子２３２に所定の制御信号を入力されないときは出力端子２３３からの出力を行わない。なお、例えば、出力制御端子２３２に入力する所定の制御信号は正論理とされ、所定の制御信号を入力しないときは出力制御端子２３２が負論理となるように構成することができる。
【００２３】
以上のように構成された電子機器１００において、ＤＣ／ＤＣコンバーター２３０は、ユーザーがオフ状態におけるＵＳＢ充電が必要と設定した場合は、ＵＳＢコネクタ２６０の電源端子に対して出力端子２３３から給電し、ユーザーがオフ状態におけるＵＳＢ充電が不要と設定した場合は、ＵＳＢコネクタ２６０の電源端子に対して出力端子２３３から給電しない。よって、オフ状態でのＵＳＢ充電のオンオフをユーザー設定に応じて自動的に切り換えることが可能となる。
【００２４】
（２−２）変形例２： 
図３は、変形例２にかかる電子機器３００のブロック図である。なお、同図においてもＵＳＢ充電に関係しない構成や電源回路の詳細な構成については、図示を省略してある。同図において、電子機器３００は、電源回路３１０、ＤＣ／ＤＣコンバーター３２０、ＤＣ／ＤＣコンバーター３３０、メインＣＰＵ３４０、サブＣＰＵ３５０、ＵＳＢコネクタ３６０、を備えている。なお、電源回路３１０、ＤＣ／ＤＣコンバーター３２０、ＤＣ／ＤＣコンバーター３３０、メインＣＰＵ３４０、サブＣＰＵ３５０、ＵＳＢコネクタ３６０は、上述した実施形態にかかる１０〜６０とほぼ同様であり、以下では相違点のみを説明する。
【００２５】
ＤＣ／ＤＣコンバーター３３０は、上述した変形例１にかかる出力制御端子２３２と同様の出力制御端子３３２を備えており、出力制御端子３３２は、メインＣＰＵ３４０の端子３４２に接続されている。メインＣＰＵ３４０は、端子３４２から所定の制御信号を出力可能である。なお、例えば、端子３４２の出力する所定の制御信号は正論理とされ、所定の制御信号を出力しないときは負論理を出力する構成とされる。
【００２６】
上述した実施形態と同様に、メインＣＰＵ３４０は、ＵＳＢコネクタ３６０に対するＵＳＢ機器の接続状況を検知することが可能であり、ＵＳＢ機器がＵＳＢコネクタ３６０に接続されているときは、端子３４２から出力制御端子３３２に所定の制御信号を入力し、ＵＳＢ機器がＵＳＢコネクタ３６０に接続されているときは、端子３４２から出力制御端子３３２に所定の制御信号を入力しない。
【００２７】
従って、ＤＣ／ＤＣコンバーター３３０は、オフ状態においてはＵＳＢコネクタ３６０の電源端子に給電し、オン状態においては、ＵＳＢ機器がＵＳＢコネクタ３６０に接続されているときはＵＳＢコネクタ３６０の電源端子に給電し、ＵＳＢ機器がＵＳＢコネクタ３６０に接続されていないときはＵＳＢコネクタ３６０の電源端子に給電しない。よって、電子機器１００をオフ状態からオン状態に移行（起動）させたり、オフ状態の電子機器１００においてＵＳＢ機器の接続を検出するためのシステムを稼動させたりすることなく、オフ状態の電子機器１００にＵＳＢ接続されたＵＳＢ機器に対しＵＳＢ充電を行うことができ、さらに、オン状態では、ＵＳＢ充電のオンオフをＵＳＢ機器の接続状況に応じて自動的に切り換えることが可能となる。
【００２８】
（２−３）変形例３： 
図４は、変形例３にかかる電子機器４００のブロック図である。なお、同図においてもＵＳＢ充電に関係しない構成や電源回路の詳細な構成については、図示を省略してある。同図において、電子機器４００は、電源回路４１０、ＤＣ／ＤＣコンバーター４２０、ＤＣ／ＤＣコンバーター４３０、メインＣＰＵ４４０、サブＣＰＵ４５０、ＵＳＢコネクタ４６０、メモリー４７０、論理和回路４８０、を備えている。なお、電源回路４１０、ＤＣ／ＤＣコンバーター４２０、ＤＣ／ＤＣコンバーター４３０、メインＣＰＵ４４０、サブＣＰＵ４５０、ＵＳＢコネクタ４６０は、上述した実施形態にかかる１０〜６０とほぼ同様であり、以下では相違点のみを説明する。なお、本変形例３においてメモリー４７０は記憶部を構成する。
【００２９】
メモリー４７０は、上述した変形例１にかかるメモリー２７０と同様に、オフ状態におけるＵＳＢ充電の要否にかかる設定値が記憶される記憶媒体である。また、メモリー４７０は、上述した変形例１にかかるメモリー２７０と同様に、本変形例３において給電制御部を構成する。また、メインＣＰＵ４４０は、上述した変形例２にかかるメインＣＰＵ３４０と同様に、所定の制御信号を出力可能な端子４４２を備えている。また、ＤＣ／ＤＣコンバーター４３０は、上述した変形例１の出力制御端子２３２と同様の、出力制御端子４３２を備えている。なお、本変形例３においては、メモリー４７０は、所定の制御信号として正論理を出力し、正論理を出力しないときは負論理を出力するように構成され、メインＣＰＵ４４０は、端子４４２から所定の制御信号として正論理を出力し、正論理を出力しないときは負論理を出力するように構成される。
【００３０】
論理和回路４８０は、入力端子４８１，４８２と出力端子４８３を備え、入力端子４８１にメモリー４７０を接続され、入力端子４８２に端子４４２を接続され、出力端子４８３に出力制御端子４３２を接続されている。論理和回路４８０は、入力端子４８１，４８２の少なくとも一方に正論理が入力されると出力（上述した実施形態における所定の制御信号に相当する信号）を行い、入力端子４８１，４８２のいずれにも正論理が入力されないときは出力を行わない。なお、本変形例３において、入力端子４８１は第１入力端子を構成し、入力端子４８２は第２入力端子を構成する。
【００３１】
従って、ＤＣ／ＤＣコンバーター４３０は、ユーザーがオフ状態におけるＵＳＢ充電が必要と設定した場合は、オフ状態においてＵＳＢコネクタ４６０の電源端子に対して出力端子４３３から給電し、ユーザーがオフ状態におけるＵＳＢ充電が不要と設定した場合は、オフ状態においてＵＳＢコネクタ４６０の電源端子に対して出力端子４３３から給電しない。また、ＤＣ／ＤＣコンバーター４３０は、オン状態においてＵＳＢ機器がＵＳＢコネクタ４６０に接続されているときはＵＳＢコネクタ４６０の電源端子に給電し、オン状態においてＵＳＢ機器がＵＳＢコネクタ４６０に接続されていないときはＵＳＢコネクタ４６０の電源端子に給電しない。よって、オフ状態でのＵＳＢ充電のオンオフをユーザー設定に応じて自動的に切り換えることが可能となり、さらに、オン状態では、ＵＳＢ充電のオンオフをＵＳＢ機器の接続状況に応じて自動的に切り換えることが可能となる。
【００３２】
（２−４）変形例４： 
図５は、変形例４にかかる電子機器５００のブロック図である。なお、同図においてもＵＳＢ充電に関係しない構成や電源回路の詳細な構成については、図示を省略してある。同図において、電子機器５００は、電源回路５１０、ＤＣ／ＤＣコンバーター５２０、ＤＣ／ＤＣコンバーター５３０、メインＣＰＵ５４０、サブＣＰＵ５５０、ＵＳＢコネクタ５６０、メモリー５７０、論理和回路５８０、を備えている。なお、電源回路５１０、ＤＣ／ＤＣコンバーター５２０、ＤＣ／ＤＣコンバーター５３０、メインＣＰＵ５４０、サブＣＰＵ５５０、ＵＳＢコネクタ５６０、メモリー５７０、論理和回路５８０は、上述した変形例３にかかる４１０〜４８０とほぼ同様であり、以下では相違点のみを説明する。
【００３３】
ＤＣ／ＤＣコンバーター５２０は、出力端子５２３ｃを備えており、出力端子５２３ｃはＤＣ／ＤＣコンバーター５３０の電源入力端子５３１に接続されている。むろん、電源入力端子５３１は、上述した実施形態と同様に、サブＣＰＵ５５０に電源を供給する伝送ラインＬＢと直接に接続されている。ＤＣ／ＤＣコンバーター５２０と電源入力端子５３１とを接続するラインＬＣと、伝送ラインＬＢと電源入力端子５３１とを接続するラインＬＤのそれぞれには、逆流防止の整流素子が介挿されている。具体的には、ラインＬＣ上には、アノードをＤＣ／ＤＣコンバーター５２０に向けつつカソードをＤＣ／ＤＣコンバーター５３０に向けてダイオードが介挿されており、ラインＬＤ上には、アノードを伝送ラインＬＢに向けつつカソードをＤＣ／ＤＣコンバーター５３０に向けてダイオードが介挿されている。
【００３４】
上述した実施形態や変形例にて説明したように、ＤＣ／ＤＣコンバーター５２０はオン状態においては出力を行うがオフ状態において出力を停止し、伝送ラインＬＢはオン状態とオフ状態の双方で直流を発生している。また、伝送ラインＬＡの電圧は、伝送ラインＬＢよりも高い。従って、全体的に負荷が低下したオフ状態においては、サブＣＰＵ５５０を駆動するための電源を利用してＵＳＢコネクタ５６０への給電を行い、全体的に負荷が上昇したオン状態においては、出力の高いＤＣ／ＤＣコンバーター５２０の出力を利用してＵＳＢコネクタ５６０への給電を行う。よって、ＵＳＢコネクタ５６０への給電が安定する。
【００３５】
なお、本発明は前記実施例や変形例に限られるものでないことは言うまでもない。当業者であれば言うまでもないことであるが、
・前記実施例や変形例の中で開示した相互に置換可能な部材および構成等を適宜その組み合わせを変更して適用すること
・前記実施例や変形例の中で開示されていないが、公知技術であって前記実施例や変形例の中で開示した部材および構成等と相互に置換可能な部材および構成等を適宜置換し、またその組み合わせを変更して適用すること
・前記実施例や変形例の中で開示されていないが、公知技術等に基づいて当業者が前記実施例や変形例の中で開示した部材および構成等の代用として想定し得る部材および構成等と適宜置換し、またその組み合わせを変更して適用すること
は本発明の一実施例として開示されるものである。
【符号の説明】
【００３６】
１０…電源回路、１１…ＡＣプラグ、１２…整流回路、１３…スイッチングトランス、２０…ＤＣ／ＤＣコンバーター、２１…入力端子、２２…出力制御端子、２３ａ…出力端子、２３ｂ…出力端子、３０…ＤＣ／ＤＣコンバーター、３１…電源入力端子、３３…出力端子、４０…メインＣＰＵ、４１…電源端子、４３…端子、４４…端子、５０…サブＣＰＵ、５１…電源端子、５２…端子、５３…端子、６０…ＵＳＢコネクタ、１００…電子機器、２００…電子機器、２１０…電源回路、２２０…ＤＣ／ＤＣコンバーター、２３０…ＤＣ／ＤＣコンバーター、２３２…出力制御端子、２３３…出力端子、２４０…メインＣＰＵ、２５０…サブＣＰＵ、２６０…ＵＳＢコネクタ、２７０…メモリー、３００…電子機器、３１０…電源回路、３２０…ＤＣ／ＤＣコンバーター、３３０…ＤＣ／ＤＣコンバーター、３３２…出力制御端子、３４０…メインＣＰＵ、３４２…端子、３５０…サブＣＰＵ、３６０…ＵＳＢコネクタ、４００…電子機器、４１０…電源回路、４２０…ＤＣ／ＤＣコンバーター、４３０…ＤＣ／ＤＣコンバーター、４３２…出力制御端子、４３３…出力端子、４４０…メインＣＰＵ、４４２…端子、４５０…サブＣＰＵ、４６０…ＵＳＢコネクタ、４７０…メモリー、４８０…論理和回路、４８１…入力端子、４８２…入力端子、４８３…出力端子、５００…電子機器、５１０…電源回路、５２０…ＤＣ／ＤＣコンバーター、５２３ｃ…出力端子、５３０…ＤＣ／ＤＣコンバーター、５３１…電源入力端子、５４０…メインＣＰＵ、５５０…サブＣＰＵ、５６０…ＵＳＢコネクタ、５７０…メモリー、５８０…論理和回路、ＬＡ…伝送ライン、ＬＢ…伝送ライン
【図１】
2012243238.tif 000003
【図２】
2012243238.tif 000004
【図３】
2012243238.tif 000005
【図４】
2012243238.tif 000006
【図５】
2012243238.tif 000007